(57)【要約】【課題】蹴込み階段の施工の省力化を図ることができる階段用ブロックを提供する。【解決手段】階段の蹴上部分に用いられる階段用ブロック１０であって、土台部１１と、土台部に対して立設された壁部１３と、壁部の上端から略水平方向に延設された水平板部１５と、土台部、壁部および水平板部で囲まれた凹状の蹴込み部２１と、を備えている。【選択図】図１
2011047176.tif 000002
【特許請求の範囲】
【請求項１】
階段の蹴上部分に用いられる階段用ブロックであって、
土台部と、
該土台部に対して立設された壁部と、
該壁部の上端から略水平方向に延設された水平板部と、
前記土台部、前記壁部および前記水平板部で囲まれた凹状の蹴込み部と、を備えていることを特徴とする階段用ブロック。
【請求項２】
前記土台部は、前記壁部における前記蹴込み部が形成された側の反対側に、前記壁部に対して水平方向に突出するように形成された突出部を有し、
該突出部と前記壁部とで構成される押さえ部を備えていることを特徴とする請求項１に記載の階段用ブロック。
【発明の詳細な説明】
【技術分野】
【０００１】
本発明は、階段用ブロックに関するものである。
【背景技術】
【０００２】
近年、住宅の外構や公園などにおいて、階段の蹴上部分を略水平方向に凹ませて、奥行きを出す、いわゆる「蹴込み階段」をデザイン的な観点から採用することが多くなってきている。
【０００３】
また、階段には、コンクリート製の階段と鋼製の階段とが知られている。コンクリート製の階段は、型枠を設置してコンクリートを現場打設する在来工法やプレキャストコンクリート（ＰＣ）製の工場加工された製品を現場へ搬入して据え付けるＰＣ工法などが採用されている。
【０００４】
ここで、コンクリート製の階段は、在来工法を用いると現場作業に手間がかかるという問題があり、ＰＣ工法を用いると施工費用が高騰するという問題がある。
そこで、それらの問題を解消すべく、コンクリート製階段の現場打設作業における型枠形成作業の簡易化および脱型後の仕上げ作業の省略化を図ることができる技術が開示されている（例えば、特許文献１参照）。
【先行技術文献】
【特許文献】
【０００５】
【特許文献１】特開平８−３１２０９０号公報
【発明の概要】
【発明が解決しようとする課題】
【０００６】
しかしながら、特許文献１のコンクリート製階段の施工方法では、階段の形状・大きさに対応した型枠や型枠取付治具を現場ごとに製作する必要があり、現場での作業は省力化できるものの、型枠や型枠取付治具を製作する作業に手間がかかるとともに、型枠および治具の製作費用が高騰するという問題がある。
また、蹴込み階段を在来工法で施工する場合には、蹴込み部の形状に合わせた型枠を組み、コンクリートを打設した後に型枠を脱型するため、より作業に手間がかかるという問題がある。
【０００７】
そこで、この発明は、上述の事情を鑑みてなされたものであり、蹴込み階段の施工の省力化を図ることができる階段用ブロックを提供するものである。
【課題を解決するための手段】
【０００８】
上記の課題を解決するために、請求項１に記載した発明は、階段の蹴上部分に用いられる階段用ブロックであって、土台部と、該土台部に対して立設された壁部と、該壁部の上端から略水平方向に延設された水平板部と、前記土台部、前記壁部および前記水平板部で囲まれた凹状の蹴込み部と、を備えていることを特徴としている。
【０００９】
請求項２に記載した発明は、前記土台部は、前記壁部における前記蹴込み部が形成された側の反対側に、前記壁部に対して水平方向に突出するように形成された突出部を有し、該突出部と前記壁部とで構成される押さえ部を備えていることを特徴としている。
【発明の効果】
【００１０】
請求項１に記載した発明によれば、階段用ブロックに予め蹴込み部が形成されているため、階段用ブロックを階段の蹴上部分に載置するだけで蹴込みを形成することができる。したがって、蹴込み階段の施工の省力化を図ることができる。
【００１１】
請求項２に記載した発明によれば、蹴込み部が形成された反対側に押さえ部を備えることにより、階段の一段上の踏面を構成する土間コンクリートや土などが押さえ部上に配されることになる。したがって、階段用ブロックを所定の位置に確実に保持することができる。
【図面の簡単な説明】
【００１２】
【図１】本発明の実施形態における階段用ブロックの斜視図である。
【図２】本発明の実施形態における階段用ブロックを用いて洗い出し仕上げの蹴込み階段を施工した状態を示す斜視図である。
【図３】図２のＡ−Ａ線に沿う断面図である。
【図４】本発明の実施形態における階段用ブロックを用いてタイル貼り仕上げの蹴込み階段を施工した状態を示す斜視図である。
【図５】図４のＢ−Ｂ線に沿う断面図である。
【図６】本発明の実施形態における階段用ブロックを用いて石貼り仕上げの蹴込み階段を施工した状態を示す斜視図である。
【図７】図６のＣ−Ｃ線に沿う断面図である。
【発明を実施するための形態】
【００１３】
次に、本発明の実施形態を図１〜図７に基づいて説明する。
図１は階段用ブロックの斜視図である。図１に示すように、階段用ブロック１０は、工場などで予め製作されるプレキャストコンクリート（ＰＣ）造の部材である。階段用ブロック１０は、平面視略長方形状の土台部１１と、土台部１１から立設された壁部１３と、壁部１３の頂部から略水平方向に延設された水平板部１５と、を備え、作業員が容易に持ち運ぶことができる大きさで形成されている。
【００１４】
壁部１３は、土台部１１の短手方向の略中心を長手方向の全長に亘って形成されている。また、壁部１３は土台部１１の上面から鉛直方向に向かって立設されている。そして、壁部１３の頂部には短手方向のいずれか一方向に向かって水平板部１５が延設されている。また、水平板部１５の先端は、側面視で土台部１１の短手方向の端部と略一致する位置まで延設されている。
【００１５】
したがって、階段用ブロック１０を側面から見ると、水平板部１５と、壁部１３と、水平板部１５と対向する土台部１１の一部と、で略コ字状になるように構成されている。このコ字状に囲まれた領域が蹴込み部２１として構成される。つまり、蹴込み部２１は、階段用ブロック１０の長手方向の全長に亘って形成されている。
【００１６】
また、土台部１１における蹴込み部２１が形成された側の反対側は、壁部１３から突出した突出部２３が形成されている。階段用ブロック１０を側面から見ると、突出部２３と、壁部１３と、で略Ｌ字状の押さえ部２５が構成されている。つまり、押さえ部２５は、階段用ブロック１０の長手方向の全長に亘って形成されている。さらに、階段用ブロック１０の各角部には面取り加工がなされている。
【００１７】
（蹴込み階段の施工方法（洗い出し仕上げ））
次に、階段用ブロック１０を用いて蹴込み階段を施工する施工方法について説明する。
図２は踏面が洗い出し仕上げの場合の斜視図であり、図３は図２のＡ−Ａ線に沿う断面図である。
【００１８】
図２、図３に示すように、階段用ブロック１０を設置する箇所（土壌３０）に割栗石３１を配した後、割栗石３１の上面にバサモルタル３２を配してレベル調整をする。そして、バサモルタル３２の上面に階段用ブロック１０を配置する。階段用ブロック１０は所望の階段幅になるように一個または複数個を配置する。このとき、階段用ブロック１０の幅Ｌは例えば、Ｌ＝３００（ｍｍ）、６００（ｍｍ）、９００（ｍｍ）、１２００（ｍｍ）のものを用意しておき、所望の階段幅を確保するために幅の異なる階段用ブロック１０を組み合わせてもよい。また、階段用ブロック１０を配置するときには、蹴込み部２１が階段の下の段に向くように（押さえ部２５が階段の上の段に向くように）して配置する。
【００１９】
なお、階段用ブロック１０の大きさの一例としては、土台部１１の短手方向の長さは３００（ｍｍ）とし、土台部１１の高さを１００（ｍｍ）とする。また、階段の蹴上部の高さが２００（ｍｍ）になるように設定されている。さらに、蹴込み部２１の高さは１３０（ｍｍ）になるように形成している。
【００２０】
階段用ブロック１０が配置されたら、下の段の踏面３５Ａを施工する。踏面３５Ａを施工するには、まず割栗石３１を土壌３０上に配する。
【００２１】
続いて、割栗石３１の上面に土間コンクリート３７を敷設する。このとき、土間コンクリート３７は、蹴込み部２１の一部を覆うとともに、下の段の蹴上部に配された階段用ブロック１０の押さえ部２５を覆うように敷き詰める。このように施工することにより階段用ブロック１０を土間コンクリート３７で支持固定して、所望の位置に保持することができる。
【００２２】
続いて、土間コンクリート３７の上面に、洗い出し仕上げ用の種石を練り合わせたモルタル３９を上塗りした後、洗い出しを行って表面を仕上げる。本実施形態においては、階段用ブロック１０の上面は露出しており、洗い出し仕上げを行った踏面３５と略同一レベルで仕上げられている。
【００２３】
この手順を繰り返して一段ずつ上の段を施工していくことで、蹴込み４１が形成された蹴込み階段を施工することができる。
【００２４】
（蹴込み階段の施工方法（タイル貼り仕上げ））
次に、階段用ブロック１０を用いて蹴込み階段を施工する施工方法について説明する。
図４は踏面がタイル貼り仕上げの場合の斜視図であり、図５は図４のＢ−Ｂ線に沿う断面図である。
【００２５】
図４、図５に示すように、階段用ブロック１０を設置する箇所（土壌３０）に割栗石３１を配した後、割栗石３１の上面にバサモルタル３２を配してレベル調整をする。そして、バサモルタル３２の上面に階段用ブロック１０を配置する。階段用ブロック１０は所望の階段幅になるように一個または複数個を配置する。また、階段用ブロック１０を配置するときには、蹴込み部２１が階段の下の段に向くように（押さえ部２５が階段の上の段に向くように）して配置する。
【００２６】
階段用ブロック１０が配置されたら、下の段の踏面４５Ａを施工する。踏面４５Ａを施工するには、まず割栗石３１を土壌３０上に配する。
【００２７】
続いて、割栗石３１の上面に土間コンクリート３７を敷設する。このとき、土間コンクリート３７は、蹴込み部２１の一部を覆うとともに、下の段の蹴上部に配された階段用ブロック１０の押さえ部２５を覆うように敷き詰める。
【００２８】
続いて、土間コンクリート３７の上面に、タイル４７を取り付ける。タイル４７は、例えば１５０ｍｍ×１５０ｍｍの角タイルを踏面に敷き詰め、階段用ブロック１０の先端には段鼻タイル４７Ａを取り付ける。
【００２９】
この手順を繰り返して一段ずつ上の段を施工していくことで、蹴込み４１が形成された蹴込み階段を施工することができる。
【００３０】
（蹴込み階段の施工方法（石貼り仕上げ））
次に、階段用ブロック１０を用いて蹴込み階段を施工する施工方法について説明する。
図６は踏面が石貼り仕上げの場合の斜視図であり、図７は図６のＣ−Ｃ線に沿う断面図である。
【００３１】
図６、図７に示すように、階段用ブロック１０を設置する箇所（土壌３０）に割栗石３１を配した後、割栗石３１の上面にバサモルタル３２を配してレベル調整をする。そして、バサモルタル３２の上面に階段用ブロック１０を配置する。階段用ブロック１０は所望の階段幅になるように一個または複数個を配置する。また、階段用ブロック１０を配置するときには、蹴込み部２１が階段の下の段に向くように（押さえ部２５が階段の上の段に向くように）して配置する。
【００３２】
階段用ブロック１０が配置されたら、下の段の踏面５５Ａを施工する。踏面５５Ａを施工するには、まず土壌３０を敷き詰める。このとき、土壌３０は、下の段の蹴上部に配された階段用ブロック１０の押さえ部２５を覆うように敷き詰める。
【００３３】
続いて、割栗石３１を土壌３０上に配する。このとき、割栗石３１は、蹴込み部２１の一部を覆うとともに、下の段の蹴上部に配された階段用ブロック１０の押さえ部２５を覆うように敷き詰める。
【００３４】
続いて、割栗石３１および階段用ブロック１０の上面にバサモルタル３２を敷設する。そして、バサモルタル３２の上面に、自然石５１を配置する。自然石５１の先端は階段用ブロック１０の先端から突出するように配置することにより、階段用ブロック１０は目視することが困難な位置に配されることとなる。
【００３５】
この手順を繰り返して一段ずつ上の段を施工していくことで、奥行のある蹴込み４１が形成された蹴込み階段を施工することができる。
【００３６】
本実施形態によれば、階段用ブロック１０に予め蹴込み部２１が形成されているため、階段用ブロック１０を階段の蹴上部分に載置するだけで蹴込み４１を形成することができる。したがって、蹴込み階段の施工の省力化を図ることができ、工期の短縮および施工コストの低減を図ることができる。
【００３７】
また、蹴込み部２１が形成された反対側に押さえ部２５を備えることにより、階段の一段上の踏面を構成する土間コンクリート３７や土壌３０などが押さえ部２５上に配されることになる。したがって、階段用ブロック１０が土間コンクリート３７や土壌３０などにより支持固定されるため、階段用ブロック１０を所定の位置に確実に保持することができる。
【００３８】
なお、本発明は、上述の実施形態に限定されるものではなく、本発明の趣旨を逸脱しない範囲において、種々の変更を加えることが可能であり、実施形態で挙げた具体的な形状や寸法などはほんの一例に過ぎず、適宜変更が可能である。
例えば、本実施形態において、押さえ部を形成した階段用ブロックを用いて説明をしたが、押さえ部が形成されていないものを採用することもできる。
【符号の説明】
【００３９】
１０…階段用ブロック  １１…土台部  １３…壁部  １５水平板部  ２１…蹴込み部  ２３…突出部  ２５…押さえ部
【図１】
2011047176.tif 000003
【図２】
2011047176.tif 000004
【図３】
2011047176.tif 000005
【図４】
2011047176.tif 000006
【図５】
2011047176.tif 000007
【図６】
2011047176.tif 000008
【図７】
2011047176.tif 000009